(57)【要約】【課題】混雑している場合でも、利用者がエレベータかごにスムーズに乗降できるようにする。【解決手段】まず、乗降者人数特定部４は、乗場行先呼び２ａに基づいて各階の乗降者の人数を特定する。次に、戸開時間決定部５は、エレベータかご１が目的階に到着するとき、乗降者人数特定部４により特定された乗降者の人数に基づいて目的階でのエレベータかご１の戸開時間を決定する。そして、エレベータ制御部３は、エレベータかご１が目的階に到着したとき、戸開時間決定部５により決定された戸開時間だけエレベータかご１を戸開させる。【選択図】図１
2010058859.tif 000002
【特許請求の範囲】
【請求項１】
エレベータかごの次の停止階での乗客の人数を特定する乗客人数特定部と、
前記乗客人数特定部により特定された乗客の人数に基づいて前記次の停止階での前記エレベータかごの戸開時間を決定する戸開時間決定部と、
前記次の停止階に停止した前記エレベータかごを前記戸開時間決定部により決定された戸開時間だけ戸開させる戸開制御部と
を備えたことを特徴とするエレベータ制御装置。
【請求項２】
前記エレベータ制御装置は、さらに、
複数の階それぞれに設置されると共に前記エレベータかごの行先になる階が指定される乗場装置に指定された階に基づいて前記次の停止階を決定する停止階決定部を備え、
前記乗客人数特定部は、
複数の階それぞれの前記乗場装置に指定された階毎の回数のうち前記停止階決定部により決定された前記次の停止階が指定された回数に基づいて前記次の停止階での乗客の人数を特定する
ことを特徴とする請求項１記載のエレベータ制御装置。
【請求項３】
前記乗客人数特定部は、
複数の階それぞれの前記乗場装置に指定された階毎の回数のうち前記停止階決定部により決定された前記次の停止階が指定された回数と前記次の停止階の前記乗場装置に階の指定がされた回数とに基づいて前記次の停止階での乗客の人数を特定する
ことを特徴とする請求項２記載のエレベータ制御装置。
【請求項４】
前記エレベータ制御装置は、さらに、
乗客の属性を特定する乗客属性特定部を備え、
前記戸開時間決定部は、
前記乗客人数特定部により特定された乗客の人数と前記乗客属性特定部により特定された乗客の属性とに基づいて、前記次の停止階での前記エレベータかごの戸開時間を決定する
ことを特徴とする請求項１〜請求項３いずれかに記載のエレベータ制御装置。
【請求項５】
前記乗場装置は、
前記エレベータかごの行先になる階が指定されると共に異なる属性が対応付けられる複数の行先指定部を備え、
前記乗客属性特定部は、
前記エレベータかごの行先になる階が指定された行先指定部に対応付けられた属性を前記エレベータかごの行先になる階を前記行先指定部に指定した乗客の属性として特定する
ことを特徴とする請求項４記載のエレベータ制御装置。
【請求項６】
前記エレベータ制御装置は、
前記エレベータかごを利用する利用者を識別する識別情報と当該利用者の属性とを利用者情報として記憶機器を用いて管理する利用者管理装置に接続し、
前記利用者管理装置は、
乗客の識別情報が入力される識別情報入力装置に接続し、前記利用者情報と前記識別情報入力装置に入力された識別情報とに基づいて前記識別情報入力装置に識別情報を入力した乗客の属性を特定し、
前記乗客属性特定部は、
前記利用者管理装置により特定された乗客の属性を取得する
ことを特徴とする請求項４記載のエレベータ制御装置。
【請求項７】
前記識別情報入力装置は、
前記エレベータかごへの経路のいずれかの場所に、施錠された扉と共に設置され、
前記利用者管理装置は、
前記識別情報入力装置に入力された識別情報と一致する識別情報が前記利用者情報に含まれる場合、前記識別情報入力装置に識別情報を入力した乗客の属性を特定すると共に前記扉を開錠する
ことを特徴とする請求項６記載のエレベータ制御装置。
【請求項８】
請求項１〜請求項７いずれかに記載のエレベータ制御装置を備えたエレベータ装置。
【発明の詳細な説明】
【技術分野】
【０００１】
本発明は、エレベータの戸開時間を調整するエレベータ制御装置およびエレベータ装置に関するものである。
【背景技術】
【０００２】
従来のエレベータ制御装置において、エレベータかごがエレベータ呼びに応じて目的階に到着した際にエレベータドアが戸開する時間は、エレベータ呼びの種類または組み合わせに応じて予め決められた固定の時間であった。例えば、エレベータ呼びが車椅子利用者用の操作盤から登録された場合の戸開時間は、エレベータ呼びが一般者用の操作盤から登録された場合の戸開時間より長い所定の時間に固定されていた。
【０００３】
また、エレベータかごに取り付けられた荷重検出装置により計測されたエレベータかごの積載重量に基づいて戸開時間を変更することにより、かご内が混雑しているときにも、エレベータかごの到着階で利用者をスムーズに乗降させるようにするものがある（特許文献１）。
【０００４】
一方、各階に設置されてエレベータかごの行先階の登録に用いられる乗場行先登録装置として、行先階が入力されるテンキーと、このテンキーの近傍に設けられると共にテンキーに入力された行先階及び割り当てられたかご号機を表示する表示器を備えたものがある（特許文献２）。
【０００５】
また、テンキー式の乗場行先登録装置とエレベータかご内の荷重に対応する荷重値を記憶する荷重テーブルとを備え、荷重値は乗場行先登録装置の行先階が入力されると指定の個数に比例して増大され、目的階に関しては当該目的階を指す指定の個数に比例して減少されるように荷重値を求めるものがある（特許文献３）。
【０００６】
その他、個人を判別する個人判別装置が玄関に設置され、個人判別装置により特定の個人を判別すると玄関の扉を開錠し、エレベータかごを玄関階へ走行させた後、予め登録された行先階へ走行させるものがある（特許文献４）。
【特許文献１】特開平５−２０１６６８号公報
【特許文献２】特開２００１−２８７８７６号公報
【特許文献３】特開平１−４３４７５号公報
【特許文献４】特開平１１−３４９２３８号公報
【発明の開示】
【発明が解決しようとする課題】
【０００７】
従来のエレベータ制御装置では、エレベータを利用する乗客の多い少ないに関係なく、戸開時間はエレベータ呼びの種類または組み合わせに応じた固定の時間である。このため、エレベータを利用する乗降客が多い場合、全員がエレベータかごに乗降する前にドアが閉まり始めてしまい、乗降客がスムーズにエレベータかごに乗降できないという課題があった。また、エレベータを利用する乗降客が少ない場合、全乗降客が乗降し終わってもドアが無駄に戸開の状態を続けることにより、エレベータの運行効率を悪化させるという課題があった。
【０００８】
また、荷重値により戸開時間を決定すると、健常者より乗降時間を多く要する車椅子利用者にとって不十分な戸開時間が決定され、車椅子利用者が乗降し終える前にドアが閉まり始めてしまうという課題があった。
【０００９】
本発明は、例えば、混雑している場合でも、利用者がエレベータかごにスムーズに乗降できるようにすることを目的とする。
【課題を解決するための手段】
【００１０】
本発明のエレベータ制御装置は、エレベータかごの次の停止階での乗客の人数を特定する乗客人数特定部と、前記乗客人数特定部により特定された乗客の人数に基づいて前記次の停止階での前記エレベータかごの戸開時間を決定する戸開時間決定部と、前記次の停止階に停止した前記エレベータかごを前記戸開時間決定部により決定された戸開時間だけ戸開させる戸開制御部とを備える。
【発明の効果】
【００１１】
本発明によれば、乗客の人数に基づいて戸開時間を決定することにより、混雑している場合でもエレベータかごに対して利用者をスムーズに乗降させることができる。
【発明を実施するための最良の形態】
【００１２】
実施の形態１．
エレベータかご１が戸開してから乗客（乗車する人および降車する人。以下、乗降者という）の乗り降りが終了するまでに要する時間は、乗降者の人数によって異なる。
実施の形態１では、乗降者の人数に応じてエレベータかご１の戸開時間を調整する形態について説明する。
【００１３】
図１は、実施の形態１におけるエレベータシステム２０の構成図である。
実施の形態１におけるエレベータシステム２０の構成について、図１に基づいて以下に説明する。
【００１４】
建物内のエレベータシステム２０は、エレベータかご１、エレベータ制御装置２２、巻上機２３および乗場行先登録装置２（乗場装置の一例）を備える。エレベータかご１、エレベータ制御装置２２および巻上機２３をエレベータ装置２１という。エレベータかご１、エレベータ制御装置２２、巻上機２３および乗場行先登録装置２は信号線で接続され、信号線を介して互いに通信を行う。
【００１５】
建物各階のエレベータ乗場には乗場行先登録装置２が（乗場装置の一例）設置されている。
乗場行先登録装置２は、利用者がエレベータを利用して行きたい階を行先階として指定するために押下する呼び釦を有する操作盤を備える。例えば、呼び釦はテンキーで構成される。
呼び釦が押下された乗場行先登録装置２は、自己が設置されている階（以下、設置階という）と利用者に指定された行先階とを示す情報を含んだデータを乗場行先呼び２ａとしてエレベータ制御装置２２に出力する。以下、エレベータ制御装置２２への乗場行先呼び２ａの出力を「乗場行先呼び２ａの発生」といい、乗場行先呼び２ａが発生した階であり乗場行先呼び２ａが示す設置階を「呼び発生階」という。
【００１６】
エレベータを利用する利用者は、各々、乗場行先登録装置２の呼び釦を押下して自分の行きたい行先階を指定し、乗場行先呼び２ａを発生させるものとする。乗場行先呼び２ａを発生させた利用者は、呼び釦を押下した階（呼び発生階）でエレベータかご１に乗車し、指定した行先階でエレベータかご１から降車する。
【００１７】
エレベータ制御装置２２は、エレベータ制御部３（戸開制御部および停止階決定部の一例）、乗降者人数特定部４および戸開時間決定部５を備え、エレベータかご１を昇降させると共にエレベータかご１が到着した階でのエレベータかご１の戸開時間を調整する。
【００１８】
エレベータ制御装置２２はＣＰＵおよびメモリを有するマイクロコンピュータを備える。メモリには以下で説明するエレベータ制御装置２２の各部（例えば、エレベータ制御部３、乗降者人数特定部４および戸開時間決定部５）の処理手順を示すソフトウェアプログラム（以下、単にプログラムという）が予め記憶され、各プログラムはマイクロコンピュータによりＣＰＵを用いて実行される。以下、エレベータ制御装置２２の各部が各々の処理をＣＰＵを用いて実行するものとして説明する。メモリには、各プログラムの他、各部により実行される処理で使用されるデータ（計算値、定義値、〜情報、信号値などを含む）が記憶される。
【００１９】
乗降者人数特定部４は、乗場行先登録装置２から出力された乗場行先呼び２ａを入力し、入力した乗場行先呼び２ａに基づいて乗場行先呼び２ａが発生した回数と行先階に指定された回数とを各階数毎にカウント（計数）し、各階で乗降する乗降者の人数を特定する。
【００２０】
戸開時間決定部５は、エレベータかご１が到着する階（以下、到着階という）での乗降者の人数（乗降者人数特定部４により特定された人数）に基づいて到着階でのエレベータかご１の戸開時間を決定する。エレベータかご１の戸開時間は、乗降者が多ければ長い時間に決定され、乗降者が少なければ短い時間に決定される。
【００２１】
エレベータ制御部３（停止階決定部の一例）は、乗場行先登録装置２から出力された乗場行先呼び２ａを入力し、入力した乗場行先呼び２ａをメモリに記憶し、メモリに記憶されている乗場行先呼び２ａに基づいてエレベータかご１を次に向かわせる階（以下、目的階という）を決定する。以下、乗場行先呼び２ａのメモリへの記憶を「乗場行先呼び２ａの登録」という。そして、エレベータ制御部３は、巻上機２３を制御して、決定した目的階にエレベータかご１を到着させる。エレベータ制御部３が巻上機２３を制御するために巻上機２３に出力する信号を巻上制御信号３ａという。巻上制御信号３ａを受けた巻上機２３はエレベータかご１を懸吊しているロープを巻き上げて目的階へエレベータかご１を走行させた後、ロープを固定してエレベータかご１を目的階に停止させる。
さらに、エレベータ制御部３（戸開制御部の一例）は、目的階に到着させたエレベータかご１を戸開時間決定部５により決定された戸開時間だけ戸開させる。以下、エレベータ制御部３がエレベータかご１を戸開時間決定部５により決定された戸開時間だけ戸開させるためにエレベータかご１に出力する信号をドア制御信号３ｂという。
【００２２】
図２は、実施の形態１におけるエレベータ制御装置２２の戸開制御方法を示すフローチャートである。
エレベータ制御装置２２がエレベータかご１の戸開時間を調整する方法について、図２に基づいて以下に説明する。
【００２３】
エレベータ制御装置２２のエレベータ制御部３は、図２に示す処理とは別に、エレベータかご１を各階に昇降させる昇降制御処理を実行しているものとする。昇降制御処理において、エレベータ制御部３は、乗場行先呼び２ａに基づいてエレベータかご１の目的階を決定し、巻上機２３に巻上制御信号３ａを出力してエレベータかご１を目的階に到着させる。
【００２４】
まず、乗降者人数特定部４は、乗場行先呼び２ａに基づいて各階の乗降者の人数を特定する（Ｓ１１１〜Ｓ１１３：乗降者人数特定処理）。
次に、戸開時間決定部５は、エレベータかご１が目的階に到着するとき、乗降者人数特定部４により特定された乗降者の人数に基づいて目的階でのエレベータかご１の戸開時間を決定する（Ｓ１２１〜Ｓ１２２：戸開時間決定処理）。
そして、エレベータ制御部３は、エレベータかご１が目的階に到着したとき、戸開時間決定部５により決定された戸開時間だけエレベータかご１を戸開させる（Ｓ１３１〜Ｓ１３５：戸開処理）。
【００２５】
以下に、各処理（Ｓ１１１〜Ｓ１３５）の詳細を説明する。
各処理（Ｓ１１１〜Ｓ１３５）は、短い間隔（例えば、１０ミリ秒間隔）で周期的に繰り返し実行される。
【００２６】
＜Ｓ１１１＞
乗降者人数特定部４は、乗場行先呼び２ａが発生したか判定する。乗場行先呼び２ａが発生した場合には乗場行先登録装置２からエレベータ制御装置２２へ乗場行先呼び２ａが出力され、乗降者人数特定部４は乗場行先登録装置２から乗場行先呼び２ａが出力されれば乗場行先呼び２ａが発生したと判定し、乗場行先登録装置２から乗場行先呼び２ａが出力されなければ乗場行先呼び２ａが発生していないと判定する。
乗場行先呼び２ａは、乗場行先呼び２ａが発生した階（呼び発生階）と利用者に行先として指定された階（行先階）とを示す。
乗場行先呼び２ａが発生したと判定された場合（ＹＥＳ）、処理はＳ１１２に進み、乗場行先呼び２ａが発生していないと判定された場合（ＮＯ）、処理はＳ１２１に進む。
【００２７】
＜Ｓ１１２＞
Ｓ１１１において乗場行先呼び２ａが発生したと判定した場合（ＹＥＳ）、乗降者人数特定部４は、カウントされる乗降者人数への加算値として用いる変数「発生人数」に「１」を設定する。
実施の形態１では、「発生人数」に「１」が固定的に設定される（後述する実施の形態では「発生人数」に設定される値は利用者の属性（一般者、車椅子利用者、老人など）に応じて変動する）。
Ｓ１１２の後、処理はＳ１１３に進む。
【００２８】
＜Ｓ１１３＞
乗降者人数特定部４は、乗場行先呼び２ａが示す呼び発生階の乗降者人数（変数）と乗場行先呼び２ａが示す行先階の乗降者人数（変数）とに発生人数（１人）を加算する。乗場行先呼び２ａの発生は、乗場行先呼び２ａを発生させた利用者が呼び発生階で乗車し、その利用者が行先階で降車することを意味する。
乗降者人数のカウントに用いられる変数「乗降者人数」は、予め初期値「０」で各階数毎（１階の乗降者人数、２階の乗降者人数、・・・）にメモリに定義され、乗降者人数特定部４により更新される。
Ｓ１１３の後、処理はＳ１２１に進む。
【００２９】
＜Ｓ１２１＞
エレベータ制御部３は、エレベータかご１が目的階に到着するか判定する。エレベータかご１が目的階に到着するかは、エレベータかご１が目的階に到着するまでに要する残り時間が所定の時間以下であるか、目的階に到着したときにエレベータかご１が停止する停止位置からエレベータかご１の現在位置までの距離が所定の距離以下であるか、目的階に停止するために減速を始めたエレベータかご１の走行速度が所定の速度以下であるかなどで判定される。例えば、判定基準値となるこれら所定の時間や所定の距離や所定の速度として、以降で説明するＳ１２２〜Ｓ１３２を実行するために要する時間に相当する値が定義される。判定基準値はメモリに予め記憶されているものとする。
エレベータかご１が目的階に到着すると判定したエレベータ制御部３は戸開時間決定部５を起動する。
エレベータかご１が目的階に到着すると判定された場合（ＹＥＳ）、処理はＳ１２２に進み、エレベータかご１が目的階にまだ到着しないと判定された場合（ＮＯ）、処理はＳ１３１に進む。
【００３０】
＜Ｓ１２２＞
Ｓ１２１においてエレベータかご１が目的階に到着すると判定された場合（ＹＥＳ）、戸開時間決定部５はエレベータ制御部３により起動され、目的階の乗降者人数に基づいて目的階でのエレベータかご１の戸開時間を決定する。
戸開時間は乗降者人数が多いほど長い時間に決定され、乗降者人数が少ないほど短い時間に決定される。
例えば、１人当たりの戸開時間が予め定められ、乗降者人数分の合計時間が戸開時間に決定される。１人当たりの戸開時間が「ａ秒／人」であり、乗降者人数が７人であれば、戸開時間は「７×ａ」秒に決定される。戸開時間に上限値および下限値が定められてもよい。
また例えば、戸開時間の決定には、乗降者人数と戸開時間とが対応付けられたテーブルが用いられてもよいし、乗降者人数を入力値とし、戸開時間を出力値とする関数式が用いられてもよい。戸開時間の決定に用いられるテーブルや関数式は予め定義されメモリに記憶される。
Ｓ１２２の後、処理はＳ１３１に進む。
【００３１】
＜Ｓ１３１＞
エレベータ制御部３は、エレベータかご１が目的階に到着したか判定する。
エレベータかご１が目的階に到着したと判定された場合（ＹＥＳ）、処理はＳ１３２に進む。
エレベータかご１が目的階に到着していないと判定された場合（ＮＯ）、図２に示す戸開制御方法の処理は終了し、所定の時間が経過したときに始めの処理（Ｓ１１１）から再び実行される。
【００３２】
＜Ｓ１３２＞
Ｓ１３１においてエレベータかご１が目的階に到着したと判定した場合（ＹＥＳ）、エレベータ制御部３は、目的階に到着したエレベータかご１が戸開を開始して戸開中であるか判定する。
エレベータかご１が戸開中であると判定された場合（ＹＥＳ）、処理はＳ１３４に進む。
エレベータかご１が戸開を開始しておらず戸開中でないと判定された場合（ＮＯ）、処理はＳ１３３に進む。
【００３３】
＜Ｓ１３３＞
Ｓ１３２においてエレベータかご１が戸開中でないと判定した場合（ＮＯ）、エレベータ制御部３は、Ｓ１２２において決定された戸開時間に基づいてドア制御信号３ｂをエレベータかご１に出力して、エレベータかご１に戸開を開始させる。ドア制御信号３ｂを受けたエレベータかご１はＳ１２２において決定された戸開時間だけ戸開し、戸開時間が経過したときに戸閉する。戸開時間は、戸閉状態から全開状態になるまでに要する時間と全開状態から戸閉状態になるまでに要する時間とを示す開閉時間を含んだ時間を意味しても構わない、開閉時間を除いて全開状態時の時間を意味しても構わない。
Ｓ１３３の後、処理はＳ１３４に進む。
【００３４】
＜Ｓ１３４＞
エレベータ制御部３は、戸開を開始したエレベータかご１が戸開を終了して戸閉したか判定する。
エレベータかご１が戸閉したと判定した場合（ＹＥＳ）、エレベータ制御部３は、エレベータかご１が戸閉するまでに発生した未処理の乗場行先呼び２ａに基づいて新たに目的階を決定し、新たに決定した目的階に向けてエレベータかご１を走行させる。
エレベータかご１が戸閉したと判定された場合（ＹＥＳ）、処理はＳ１３５に進む。
エレベータかご１が戸閉していないと判定された場合（ＮＯ）、図２に示す戸開制御方法の処理は終了し、所定の時間が経過したときに始めの処理（Ｓ１１１）から再び実行される。
【００３５】
＜Ｓ１３５＞
Ｓ１３４においてエレベータかご１が戸閉したと判定された場合（ＹＥＳ）、乗降者人数特定部４は、エレベータかご１の戸閉した階（以下、旧目的階という）の乗降者人数を「０」にクリアする。
図２に示す戸開制御方法の処理は、Ｓ１３５で終了し、所定の時間が経過したときに始めの処理（Ｓ１１１）から再び実行される。
【００３６】
上記戸開制御方法（図２）により、エレベータ利用者の交通量（エレベータかご１の乗降者人数）に応じてエレベータかご１の戸開時間を制御し、ビル全体のエレベータ運行サービスの悪化を防止することができる。
【００３７】
実施の形態１において以下のようなエレベータ制御装置２２について説明した。
エレベータ乗場にはエレベータかご１をその乗場に呼ぶ乗場呼びとエレベータかご１の行先階を指定する行先呼びとをエレベータ制御装置２２に登録できる乗場行先登録装置２が設置される（実施の形態１では乗場呼びと行先呼びとを含んだエレベータ呼びを乗場行先呼び２ａと記して説明をしている）。
エレベータ制御装置２２は乗降者人数特定部４および戸開時間決定部５を備える。
乗降者人数特定部４は、エレベータ利用者が乗場呼びに応じて停止するエレベータかご１に乗車し、行先呼びで指定した行先階で降車するということに基づいて、各階での乗降者人数を決定する。
戸開時間決定部５は、乗降者人数特定部４により決定された乗降者人数に応じて、停止階でのエレベータかご１の戸開時間を決定する。
この構成により、エレベータ制御装置２２は、各階の乗降者人数を検出し、エレベータかご１およびエレベータ乗場の混雑度合いにあった戸開時間を設定できる。そして、エレベータ制御装置２２は、エレベータの運行効率を悪化させることなく、すべての利用客をスムーズにエレベータかご１に乗降させることができる。
【００３８】
実施の形態１において、エレベータ利用者は行先階と共に一緒にエレベータかご１に乗車する人（例えば、同乗する家族や友人）の人数（以下、同乗人数という）を乗場行先登録装置２に指定してもよい。
同乗人数が指定された場合、乗場行先登録装置２は指定された同乗人数を含めた乗場行先呼び２ａをエレベータ制御装置２２に出力する。そして、エレベータ制御装置２２の乗降者人数特定部４は「発生人数」に乗場行先呼び２ａが示す同乗人数を設定し（Ｓ１１２）、乗場行先呼び２ａが示す発生階および行先階それぞれの乗降者人数に発生人数を加算する（Ｓ１１３）。
これにより、乗降者人数特定部４がより正確に乗降者人数を特定し、戸開時間決定部５がより適切な戸開時間を決定し、エレベータ制御部３がより適切に決定された戸開時間だけエレベータかご１を戸開し、エレベータ利用者のエレベータかご１への乗降がよりスムーズになる。
【００３９】
実施の形態２．
エレベータを利用する利用者の中には他の利用者に比べてエレベータかご１への乗り降りに要する時間が長い人もいれば短い人もいる。例えば、車椅子利用者は車椅子を利用していない一般者に比べてエレベータかご１への乗り降りに時間がかかる。
実施の形態２では、乗降者の属性（例えば、一般者または車椅子利用者）と乗降者の人数とに基づいてエレベータかご１の戸開時間を調整する形態について説明する。
以下、実施の形態１と異なる事項について主に説明し、説明を省略する事項については実施の形態１と同様であるものとする。
【００４０】
図３は、実施の形態２におけるエレベータシステム２０の構成図である。
実施の形態２におけるエレベータシステム２０の構成について、図３に基づいて以下に説明する。
【００４１】
乗場行先登録装置２は、一般者向けにエレベータ乗場に設けられた操作盤（行先指定部の一例）（以下、一般用操作盤という）と一般用操作盤より低い位置に併設された車椅子利用者向けの操作盤（行先指定部の一例）（以下、専用操作盤という）とを併せ持つ。一般用操作盤と専用操作盤とのそれぞれに呼び釦が設けられている。以下、一般用操作盤に設けられている呼び釦を一般用呼び釦といい、専用操作盤に設けられている呼び釦を専用呼び釦という。
乗場行先登録装置２は、呼び釦（一般用呼び釦または専用呼び釦）が押下された場合、呼び発生階（自己の設置階）と利用者に指定された行先階と乗場行先呼び２ａの属性（以下、呼び属性という）とを示す乗場行先呼び２ａをエレベータ制御装置２２に出力する。
属性とは、その物の種類、その物が有する特徴や性質などを意味する。
呼び属性には、一般用呼び釦が押下されたことに起因してエレベータ制御装置２２に出力される一般呼びと専用呼び釦が押下されたことに起因してエレベータ制御装置２２に出力される専用呼びとがある。
呼び属性は、乗場行先呼び２ａを発生させた利用者が一般者と車椅子利用者とのいずれであるかを示す情報に相当する。乗場行先呼び２ａが一般呼びである場合、乗場行先呼び２ａを発生させた利用者は一般者であり、乗場行先呼び２ａが専用呼びである場合、乗場行先呼び２ａを発生させた利用者は車椅子利用者である。「一般者」および「車椅子利用者」は利用者（乗降者）が有する属性（以下、個人属性という）の一例である。
【００４２】
エレベータ制御装置２２は、実施の形態１で説明した構成（図１参照）に加えて、呼び属性特定部６（乗客属性特定部の一例）を備える。
呼び属性特定部６（乗客属性特定部の一例）は、ＣＰＵを用いて、乗場行先登録装置２から出力された乗場行先呼び２ａを入力し、入力した乗場行先呼び２ａが一般呼びと専用呼びとのいずれの呼び属性であるか特定する。
【００４３】
図４は、実施の形態２におけるエレベータ制御装置２２の戸開制御方法を示すフローチャートである。
エレベータ制御装置２２がエレベータかご１の戸開時間を調整する方法について、図４に基づいて以下に説明する。
【００４４】
まず、呼び属性特定部６は、乗場行先呼び２ａに基づいて呼び属性（個人属性）を特定する（Ｓ２１１〜Ｓ２１２：乗降者属性特定処理）。
次に、乗降者人数特定部４は、乗場行先呼び２ａに基づいて各階の乗降者の人数を特定する（Ｓ２２１〜Ｓ２２３：乗降者人数特定処理）。
次に、戸開時間決定部５は、エレベータかご１が目的階に到着するとき、呼び属性特定部６により特定された呼び属性と乗降者人数特定部４により特定された乗降者の人数とに基づいて目的階でのエレベータかご１の戸開時間を決定する（Ｓ２３１〜Ｓ２３２：戸開時間決定処理）。
そして、エレベータ制御部３は、エレベータかご１が目的階に到着したとき、戸開時間決定部５により決定された戸開時間だけエレベータかご１を戸開させる（Ｓ２４１〜Ｓ２４５：戸開処理）。
【００４５】
以下に、各処理（Ｓ２１１〜Ｓ２４５）の詳細を説明する。
各処理（Ｓ２１１〜Ｓ２４５）は、短い間隔（例えば、１０ミリ秒間隔）で周期的に繰り返し実行される。
【００４６】
＜Ｓ２１１＞
呼び属性特定部６は、実施の形態１で説明したＳ１１１における乗降者人数特定部４と同じく、乗場行先呼び２ａが発生したか判定する。
乗場行先呼び２ａが発生したと判定された場合（ＹＥＳ）、処理はＳ２１２に進み、乗場行先呼び２ａが発生していないと判定された場合（ＮＯ）、処理はＳ２３１に進む。
【００４７】
＜Ｓ２１２＞
Ｓ２１１において乗場行先呼び２ａが発生したと判定した場合（ＹＥＳ）、呼び属性特定部６は、発生した乗場行先呼び２ａが示す呼び属性に基づいて、一般呼びと専用呼びとのいずれが発生したか判定する。
一般呼びが発生したと判定された場合、処理はＳ２２１に進み、専用呼びが発生したと判定された場合、処理はＳ２２２に進む。
【００４８】
＜Ｓ２２１＞
Ｓ２１２において一般呼びが発生したと判定された場合、乗降者人数特定部４は、実施の形態１で説明したＳ１１２と同じく、「発生人数」に「１」を設定する。
Ｓ２２１の後、処理はＳ２２３に進む。
【００４９】
＜Ｓ２２２＞
Ｓ２１２において専用呼びが発生したと判定された場合、乗降者人数特定部４は、「発生人数」に「２」を設定する。
専用呼びを発生させる利用者は車椅子利用者であり、車椅子利用者は一般者に比べてエレベータかご１への乗り降りに時間がかかる。そこで、乗降者人数特定部４は、１人の車椅子利用者がエレベータかご１への乗り降りに要する時間を一般者２人分に換算し、「発生人数」に「１」ではなく「２」を設定する。但し、乗降者人数特定部４は、「発生人数」に「２」以外（例えば、「１．５」）を設定しても構わない。
Ｓ２２２の後、処理はＳ２２３に進む。
【００５０】
＜Ｓ２２３＞
乗降者人数特定部４は、実施の形態１で説明したＳ１１３と同じく、乗場行先呼び２ａが示す呼び発生階の乗降者人数と乗場行先呼び２ａが示す行先階の乗降者人数とに発生人数を加算する。
Ｓ２２３の後、処理はＳ２３１に進む。
【００５１】
＜Ｓ２３１〜Ｓ２４５＞
以後、実施の形態１で説明したＳ１２１〜Ｓ１３５と同じく、Ｓ２３１〜Ｓ２４５が実行される。
つまり、エレベータかご１が目的階に到着する場合（Ｓ２３１）、戸開時間決定部５は目的階の乗降者人数に基づいてエレベータかご１の戸開時間を決定する（Ｓ２３２）。次に、エレベータかご１が目的階に到着し（Ｓ２４１）、戸開を開始していない場合（Ｓ２４２）、エレベータ制御部３はエレベータかご１に戸開を開始させる（Ｓ２４３）。そして、決定された戸開時間が経過してエレベータかご１が戸閉した場合（Ｓ２４４）、乗降者人数特定部４は旧目的階の乗降者人数をクリアする（Ｓ２４５）。
【００５２】
上記戸開制御方法（図４）により、エレベータかご１への乗降にかかる時間が異なる場合（例えば、一般者が乗降する場合と車椅子利用者が乗降する場合）でも、エレベータ利用者の交通量（エレベータかご１の乗降者人数）に応じてエレベータかご１の戸開時間を制御し、より良いエレベータ運行サービスを提供することができる。
【００５３】
実施の形態２において以下のようなエレベータ制御装置２２について説明した。
エレベータ乗場には一般や専用等種類の異なる乗場呼びと行先階を指定する行先呼びとをエレベータ制御装置２２に登録できる乗場行先登録装置２が設置される（実施の形態２では乗場呼びと行先呼びとを含んだエレベータ呼びを乗場行先呼び２ａと記し、また、一般の乗場行先呼び２ａを一般呼び、専用の乗場行先呼び２ａを専用呼びと記して説明をしている）。
エレベータ制御装置２２は呼び属性特定部６、乗降者人数特定部４および戸開時間決定部５を備える。
呼び属性特定部６は、乗場行先登録装置２により登録された乗場行先呼び２ａの種類を検出する。
乗降者人数特定部４は、呼び属性特定部６の検出結果とエレベータ利用者が乗場呼びに応じて停止するエレベータかご１に乗車し、行先呼びで指定した行先階で降車するということとに基づいて、各階での乗降者人数を決定する。
戸開時間決定部５は、乗降者人数特定部４により決定された乗降者人数に応じて、停止階でのエレベータかご１の戸開時間を決定する。
この構成により、エレベータ制御装置２２は、エレベーター利用客の属性を考慮して各階の乗降者人数を決定し、乗降客に応じた戸開時間を設定し、より良いエレベータ運行サービスを提供することができる。
【００５４】
上記戸開制御方法（図４）では、車椅子利用者が一般者２人分としてカウントされて乗降者人数が特定されているが（Ｓ２２３）、以下のように、一般者と車椅子利用者とのそれぞれについて乗降者人数が特定されても構わない。この場合、エレベータかご１の戸開時間は、一般者の乗降者人数と車椅子利用者の乗降者人数との合計人数に基づいて決定される。
【００５５】
図５は、実施の形態２におけるエレベータ制御装置２２の戸開制御方法を示すフローチャートの別例である。
実施の形態２におけるエレベータ制御装置２２の戸開制御方法として、乗降者人数特定部４が一般者と車椅子利用者とのそれぞれについて乗降者人数を特定する場合の処理の流れを図５に基づいて以下に説明する。
【００５６】
＜Ｓ２１１〜Ｓ２１２＞
呼び属性特定部６は、図４の説明と同じく、乗場行先呼び２ａが発生した場合（Ｓ２１１）、一般呼びと専用呼びとのいずれが発生したか判定する（Ｓ２１２）。
Ｓ２１２の後、処理はＳ２２１’に進む。
【００５７】
＜Ｓ２２１’＞
Ｓ２１２において一般呼びが発生したと判定された場合、乗降者人数特定部４は、乗場行先呼び２ａが示す呼び発生階の一般乗降者人数（変数）と乗場行先呼び２ａが示す行先階の一般乗降者人数（変数）とに「１」を加算する。
一般者の乗降者人数をカウントするために用いられる変数「一般乗降者人数」は、予め初期値「０」で各階数毎にメモリに定義され、乗降者人数特定部４により更新される。
Ｓ２２１’の後、処理はＳ２３１に進む。
【００５８】
＜Ｓ２２２’＞
Ｓ２１２において専用呼びが発生したと判定された場合、乗降者人数特定部４は、乗場行先呼び２ａが示す呼び発生階の車椅子乗降者人数（変数）と乗場行先呼び２ａが示す行先階の車椅子乗降者人数（変数）とに「１」を加算する。
車椅子利用者の乗降者人数をカウントするために用いられる変数「車椅子乗降者人数」は、予め初期値「０」で各階数毎にメモリに定義され、乗降者人数特定部４により更新される。
Ｓ２２２’の後、処理はＳ２３１に進む。
【００５９】
＜Ｓ２３１＞
エレベータ制御部３は、実施の形態１で説明したＳ１２１と同じく、エレベータかご１が目的階に到着するか判定する。
エレベータかご１が目的階に到着すると判定したエレベータ制御部３は戸開時間決定部５を起動する。
エレベータかご１が目的階に到着すると判定された場合（ＹＥＳ）、処理はＳ２３２’に進み、エレベータかご１が目的階にまだ到着しないと判定された場合（ＮＯ）、処理はＳ２４１に進む。
【００６０】
＜Ｓ２３２’＞
Ｓ２３１においてエレベータかご１が目的階に到着すると判定された場合（ＹＥＳ）、戸開時間決定部５はエレベータ制御部３により起動され、目的階の一般乗降者人数と目的階の車椅子乗降者人数とに基づいて目的階でのエレベータかご１の戸開時間を決定する。
このとき、戸開時間決定部５は、実施の形態１で説明したＳ１２２と同様にして、目的階の一般乗降者人数に基づいて戸開時間を決定すると共に目的階の車椅子乗降者人数に基づいて戸開時間を決定する。そして、戸開時間決定部５は、目的階の一般乗降者人数に基づく戸開時間と目的階の車椅子乗降者人数に基づく戸開時間との合計時間を算出し、算出した合計時間を目的階でのエレベータかご１の戸開時間に決定する。
例えば、一般者１人当たりの戸開時間として予め定められた値を「ｂ秒／人」とし、車椅子利用者１人当たりの戸開時間として予め定められた値を「２ｂ秒／人」とする。ここで、一般乗降者人数が「３人」であり、車椅子利用者人数が「１人」である場合、戸開時間は「５ｂ（＝（３×ｂ）＋（１×２ｂ））」に決定される。戸開時間に上限値および下限値が定められてもよい。
Ｓ２３２’の後、処理はＳ２４１に進む。
【００６１】
＜Ｓ２４１〜Ｓ２４５＞
以後、図４の説明と同じく、エレベータかご１が目的階に到着し（Ｓ２４１）、戸開を開始していない場合（Ｓ２４２）、エレベータ制御部３はエレベータかご１に戸開を開始させ（Ｓ２４３）、戸開時間が経過してエレベータかご１が戸閉した場合（Ｓ２４４）、乗降者人数特定部４は旧目的階の乗降者人数（一般乗降者人数および車椅子乗降者人数）をクリアする（Ｓ２４５）。
【００６２】
図５の処理でも、図４と同じく、乗降者が一般者と車椅子利用者とのいずれであるか（乗降者の属性の一例）を考慮し、乗降者人数に基づいてエレベータかご１の戸開時間を調整することができる。
【００６３】
実施の形態３．
実施の形態３では、個人認証を受けた者がエレベータを利用できるシステムにおいて、個人認証時に利用者の属性を特定し、乗降者の人数と乗降者の属性とに基づいてエレベータかご１の戸開時間を調整する形態について説明する。
【００６４】
以下、実施の形態２と異なる事項について主に説明し、説明を省略する事項については実施の形態２と同様であるものとする。
【００６５】
図６は、実施の形態３におけるエレベータシステム２０の構成図である。
実施の形態３におけるエレベータシステム２０の構成について、図６に基づいて以下に説明する。
【００６６】
エレベータシステム２０は、実施の形態２で説明した構成（図３参照）に対して、乗場行先登録装置２の代わりに個人認証装置９（乗場装置、利用者管理装置および識別情報入力装置の一例）を備える。
個人認証装置９（利用者管理装置の一例）は、ＣＰＵおよびメモリを備え、メモリにはエレベータの利用が許可される各利用者それぞれを識別するＩＤが予め記憶されている。以下、メモリに予め記憶されているＩＤを登録ＩＤという。さらに、各登録ＩＤそれぞれには当該登録ＩＤにより識別される利用者（以下、登録者という）の属性と当該登録者が住んでいる階（以下、居住階という）を示す情報とが対応付けられている（利用者情報の一例）。一般者、車椅子利用者、老人、子供などの種別は登録者の属性の一例である。
個人認証装置９（乗場装置、識別情報入力装置の一例）は、エレベータを利用しようとしている者のＩＤを入力する。例えば、個人認証装置９は非接触ＩＣカードリーダを備える。エレベータを利用しようとする者は、実施の形態２のように呼び釦を押下する代わりに、自己のＩＤが記録されているＩＣカード（以下、ＩＤカードという）を個人認証装置９の非接触ＩＣカードリーダに近づける。ＩＤカードを個人認証装置９の非接触ＩＣカードリーダに近づけることにより、エレベータを利用しようとする者は、自己の居住階を行先階とする乗場行先呼びの登録を要求する。そして、個人認証装置９の非接触ＩＣカードリーダは近づけられたＩＤカードと無線通信し、ＩＤカードに記録されているＩＤを取得し、取得したＩＤを入力ＩＤとする。
【００６７】
個人認証装置９は、ＣＰＵを用いて、入力ＩＤに基づいて利用者を認証する個人認証処理を実行する。個人認証処理において、個人認証装置９は、メモリを検索し、入力ＩＤと一致する登録ＩＤが有るか判定する。
入力ＩＤと一致する登録ＩＤが有る場合、個人認証装置９は認証ＯＫと判定して行先呼びの登録の要求を受け付ける。行先呼びの登録の要求を受け付ける場合、個人認証装置９は、呼び発生階（自己の設置階）と入力ＩＤに一致した当該登録ＩＤに対応付けられている登録者の属性（ＩＤを入力した利用者の属性）と当該登録ＩＤに対応付けられている登録者の居住階（ＩＤを入力した利用者の居住階）を示す情報とを含んだデータを認証情報９ａとしてエレベータ制御装置２２に出力する。認証情報９ａに含まれる登録者の居住階はエレベータかご１の行先階となる。
また、入力ＩＤと一致する登録ＩＤが無い場合、個人認証装置９は認証ＮＧと判定して行先呼びの登録の要求を受け付けない。例えば、個人認証装置９は認証ＮＧのため行先呼びの登録の要求を受け付けない旨をブザーを鳴らして利用者に通知する。
【００６８】
エレベータ制御装置２２は、実施の形態２で説明した構成（図３参照）に加えて、乗場行先呼び登録部８を備える。
乗場行先呼び登録部８は、ＣＰＵを用いて、個人認証装置９から出力された認証情報９ａを入力し、入力した認証情報９ａを乗場行先呼び８ａとしてエレベータ制御部３および個人属性特定部７に出力する。乗場行先呼び８ａは実施の形態２で説明した乗場行先呼び２ａに相当する。
【００６９】
エレベータ制御装置２２は、実施の形態２で説明した構成（図３参照）に対して、呼び属性特定部６の代わりに個人属性特定部７（乗客属性特定部の一例）を備える。
個人属性特定部７（乗客属性特定部の一例）は、ＣＰＵを用いて、乗場行先呼び登録部８から出力された乗場行先呼び８ａを入力し、入力した乗場行先呼び８ａに基づいて利用者（乗降者）の属性を特定する。
【００７０】
図７は、実施の形態３におけるエレベータ制御装置２２の戸開制御方法を示すフローチャートである。
エレベータ制御装置２２がエレベータかご１の戸開時間を調整する方法について、図７に基づいて以下に説明する。
【００７１】
まず、乗場行先呼び登録部８は、個人認証装置９から認証情報９ａを入力し、入力した認証情報９ａを乗場行先呼び８ａとしてエレベータ制御部３および個人属性特定部７に出力する（Ｓ３１１〜Ｓ３１２：乗場行先呼び登録処理）。
次に、個人属性特定部７は、乗場行先呼び８ａに基づいて利用者の属性を特定する（Ｓ３２１〜Ｓ３２２：個人属性特定処理）。
次に、乗降者人数特定部４は、乗場行先呼び８ａに基づいて各階の乗降者の人数を特定する（Ｓ３３１〜Ｓ３３４：乗降者人数特定処理）。
次に、戸開時間決定部５は、エレベータかご１が目的階に到着するとき、個人属性特定部７により特定された利用者（乗降者）の属性と乗降者人数特定部４により特定された乗降者の人数とに基づいて目的階でのエレベータかご１の戸開時間を決定する（Ｓ３４１〜Ｓ３４２：戸開時間決定処理）。
そして、エレベータ制御部３は、エレベータかご１が目的階に到着したとき、戸開時間決定部５により決定された戸開時間だけエレベータかご１を戸開させる（Ｓ３５１〜Ｓ３５５：戸開処理）。
【００７２】
以下に、各処理（Ｓ３１１〜Ｓ３５５）の詳細を説明する。
各処理（Ｓ３１１〜Ｓ３５５）は、短い間隔（例えば、１０ミリ秒間隔）で周期的に繰り返し実行される。
【００７３】
＜Ｓ３１１＞
乗場行先呼び登録部８は、個人認証装置９から認証情報９ａの入力が有るか判定する。
認証情報９ａの入力が有ると判定された場合（ＹＥＳ）、処理はＳ３１２に進み、認証情報９ａの入力が無いと判定された場合（ＮＯ）、処理はＳ３４１に進む。
【００７４】
＜Ｓ３１２＞
Ｓ３１１において認証情報９ａの入力が有ると判定した場合（ＹＥＳ）、乗場行先呼び登録部８は、認証情報９ａを乗場行先呼び８ａとしてエレベータ制御部３および個人属性特定部７に出力する。
Ｓ３１２の後、処理はＳ３２１に進む。
【００７５】
＜Ｓ３２１＞
個人属性特定部７は、乗場行先呼び登録部８から乗場行先呼び８ａを入力し、入力した乗場行先呼び８ａが示す利用者の属性に基づいて、利用者が車椅子利用者であるか判定する。
利用者が車椅子利用者であると判定された場合（ＹＥＳ）、処理はＳ３３３に進み、利用者が車椅子利用者でないと判定された場合（ＮＯ）、処理はＳ３２２に進む。
【００７６】
＜Ｓ３２２＞
Ｓ３２１において利用者が車椅子利用者でないと判定された場合（ＮＯ）、個人属性特定部７は、乗場行先呼び８ａが示す利用者の属性に基づいて、利用者が老人であるか判定する。
利用者が老人であると判定された場合（ＹＥＳ）、処理はＳ３３２に進み、利用者が老人でないと判定された場合（ＮＯ）、処理はＳ３３１に進む。
【００７７】
＜Ｓ３３１＞
Ｓ３２２において利用者が老人でないと判定された場合（ＮＯ）、利用者は車椅子利用者でも老人でもない一般者であるため、乗降者人数特定部４は、実施の形態１で説明したＳ１１２と同じく、「発生人数」に「１」を設定する。
【００７８】
＜Ｓ３３２＞
Ｓ３２２において利用者が老人であると判定された場合（ＹＥＳ）、乗降者人数特定部４は、「発生人数」に「１．５」を設定する。
老人は一般者（若い人）に比べてエレベータかご１への乗り降りに時間がかかる。そこで、乗降者人数特定部４は、１人の老人がエレベータかご１への乗り降りに要する時間を一般者１．５人分に換算し、「発生人数」に「１」ではなく「１．５」を設定する。但し、乗降者人数特定部４は、「発生人数」に「１．５」以外（「１．２」「２」「２．５」など）を設定しても構わない。
Ｓ３３２の後、処理はＳ３３４に進む。
【００７９】
＜Ｓ３３３＞
Ｓ３２１において利用者が車椅子利用者であると判定された場合（ＹＥＳ）、乗降者人数特定部４は、「発生人数」に「２」を設定する。
車椅子利用者は一般者に比べてエレベータかご１への乗り降りに時間がかかる。そこで、乗降者人数特定部４は、１人の車椅子利用者がエレベータかご１への乗り降りに要する時間を一般者２人分に換算し、「発生人数」に「１」ではなく「２」を設定する。但し、乗降者人数特定部４は、「発生人数」に「２」以外（「１．２」「１．５」「２．５」など）を設定しても構わない。
Ｓ３３３の後、処理はＳ３３４に進む。
【００８０】
＜Ｓ３３４＞
乗降者人数特定部４は、実施の形態１で説明したＳ１１３と同様に、乗場行先呼び８ａが示す呼び発生階の乗降者人数と乗場行先呼び８ａが示す行先階の乗降者人数とに発生人数を加算する。
Ｓ３３４の後、処理はＳ３４１に進む。
【００８１】
＜Ｓ３４１〜Ｓ３５５＞
以後、実施の形態１で説明したＳ１２１〜Ｓ１３５と同じく、Ｓ３４１〜Ｓ３５５が実行される。
つまり、エレベータかご１が目的階に到着する場合（Ｓ３４１）、戸開時間決定部５は目的階の乗降者人数に基づいてエレベータかご１の戸開時間を決定する（Ｓ３４２）。次に、エレベータかご１が目的階に到着し（Ｓ３５１）、戸開を開始していない場合（Ｓ３５２）、エレベータ制御部３はエレベータかご１に戸開を開始させる（Ｓ３５３）。そして、決定された戸開時間が経過してエレベータかご１が戸閉した場合（Ｓ３５４）、乗降者人数特定部４は旧目的階の乗降者人数をクリアする（Ｓ３５５）。
【００８２】
上記戸開制御方法（図７）により、利用者によって乗降時間が異なる場合でも、交通量（エレベータかご１の乗降者人数）に応じてエレベータかご１の戸開時間を制御し、より良いエレベータ運行サービスを提供することができる。
【００８３】
実施の形態３において以下のようなエレベータ制御装置２２について説明した。
エレベータ乗場には個人認証を行う個人認証装置９が設置される。
エレベータ制御装置２２は乗場行先呼び登録部８、個人属性特定部７、乗降者人数特定部４および戸開時間決定部５を備える。
乗場行先呼び登録部８は、個人認証装置９の認証結果（認証情報９ａ）に基づいて、乗場呼びと利用者の居住階を行先階として指定する行先呼びとをエレベータ制御部３に登録する（実施の形態３では乗場呼びと行先呼びとを含んだエレベータ呼びを乗場行先呼び８ａと記して説明している）。
個人属性特定部７は、前記認証結果から個人の属性を検出する。
乗降者人数特定部４は、個人属性特定部７の検出結果とエレベータ利用者が乗場呼びに応じて停止したエレベータかご１に乗車し、行先呼びで指定した行先階で降車するということとに基づいて、各階での乗降者人数を決定する。
戸開時間決定部５は、乗降者人数特定部４により決定された乗降者人数に応じて、停止階でのエレベータかご１の戸開時間を決定する。
この構成により、エレベータ制御装置２２は、個人認証に基づいてエレベータ利用客の属性をより詳細に把握できる。そして、エレベータ制御装置２２は、各階の乗降者人数の検出精度を向上し、乗降客に応じてきめ細かな戸開時間を設定し、より良いエレベータ運行サービスを提供することができる。
【００８４】
実施の形態４．
実施の形態４では、個人認証を受けた者がエレベータかご１に乗車できるシステムについて説明する。
【００８５】
以下、実施の形態３と異なる事項について主に説明し、説明を省略する事項については実施の形態３と同様であるものとする。
【００８６】
図８は、実施の形態４におけるエレベータシステム２０の構成図である。
実施の形態４におけるエレベータシステム２０の構成について、図８に基づいて以下に説明する。
【００８７】
建物には、建物の玄関や各階のエレベータホール（エレベータ乗場）の出入口などエレベータ乗場への経路の途中いずれかの場所に電気錠で施錠された扉（以下、電気錠付き扉という）が設けられる。エレベータを利用しようとする者は、建物に設けられた電気錠付き扉（の電気錠）を解錠しなければ、エレベータ乗場に辿り着けず、エレベータを利用することができない。
各電気錠付き扉の脇には実施の形態３で説明した個人認証装置９が併設され、エレベータを利用しようとする者は自己のＩＤを個人認証装置９に入力して個人認証を受ける。個人認証を受けることにより、エレベータを利用しようとする者は電気錠付き扉を開錠（解錠）することができる。
個人認証装置９は、個人認証処理において認証ＯＫと判定した場合、開錠信号９ｂを以下に説明する開錠装置１０に出力する。
【００８８】
エレベータシステム２０は、実施の形態３で説明した構成（図６参照）に加えて、開錠装置１０を備える。
開錠装置１０は、個人認証装置９から開錠信号９ｂが入力された場合、開錠信号９ｂを出力した個人認証装置９に併設されている電気錠付き扉を開錠する。
【００８９】
エレベータ制御装置２２の戸開制御方法は、実施の形態３と同じである。
【００９０】
本実施の形態では、エレベータ利用者が必ず個人認証装置９を操作することになり、エレベータ制御装置２２は乗降者人数をより正確に把握することができ、より良いエレベータ運行サービスを提供することができる。
【００９１】
実施の形態４において以下のようなエレベータ制御装置２２について説明した。
建物の玄関およびエレベータホール（エレベータ乗場）の入り口には施錠された扉と扉を開錠する開錠装置１０と個人認証を行う個人認証装置９とが設置される。
開錠装置１０は、個人認証装置９の個人認証結果（開錠信号９ｂ）に応じて扉の開錠を行う。
エレベータ制御装置２２は、乗場行先呼び登録部８、個人属性特定部７、乗降者人数特定部４および戸開時間決定部５を備える。
乗場行先呼び登録部８は、個人認証装置９の認証結果（認証情報９ａ）に基づいて、乗場呼びと利用者の居住階を行先階として指定する行先呼びとをエレベータ制御部３に登録する（実施の形態４では乗場呼びと行先呼びとを含んだエレベータ呼びを乗場行先呼び８ａと記して説明している）。
個人属性特定部７は、前記認証結果から個人の属性を検出する。
乗降者人数特定部４は、個人属性特定部７の検出結果とエレベータ利用者が乗場呼びに応じて停止したエレベータかご１に乗車し、行先呼びで指定した行先階で降車するということとに基づいて、各階での乗降者人数を決定する。
戸開時間決定部５は、乗降者人数特定部４により決定された乗降者人数に応じて、停止階のエレベータかご１の戸開時間を決定する。
この構成により、エレベータ利用客一人ひとりが扉を開錠するために確実に呼び登録を行うので、エレベータ制御装置２２は各階の乗降者人数の検出精度をより向上させ、利用状況に応じた戸開時間を設定し、より良いエレベータ運行サービスを提供することができる。
【００９２】
上記の各実施の形態ではエレベータ乗場の乗場行先登録装置２または個人認証装置９に対して行先階が指定されているが、エレベータ乗場では行先方向のみが指定され、行先階はエレベータかご１内で指定されても構わない。
一般に、エレベータ乗場には利用者が行先階の方向（上／下）を指定するために押下する乗場呼び釦を有する乗場登録装置（乗場操作盤）が設けられており、エレベータかご１内には利用者が行先階を指定するために押下する行先呼び釦を有する行先登録装置（かご内操作盤）が設けられている。
この場合、乗降者人数特定部４は、エレベータ乗場の乗場登録装置で発生した乗場呼び（呼び発生階を示す）とエレベータかご１内の行先登録装置で発生した行先呼び（行先階を示す）とに基づいて各階の乗降者人数を特定する。具体的には、乗降者人数特定部４は、乗場呼びを発生させた利用者が乗場呼びの発生階でエレベータかご１に乗車し、行先呼びを発生させた利用者が行先呼びで指定した階でエレベータかご１から降車するものとして、乗場呼びと行先呼びとに基づいて各階の乗降者人数をカウントする。例えば、乗降者人数特定部４は、実施の形態１のＳ１１３において乗場呼びが示す呼び発生階の乗降者人数と行先呼びが示す行先階の乗降者人数とに発生人数（１人）を加算し、各階の乗降者人数をカウントする。
戸開時間決定部５は、各実施の形態と同様、乗降者人数の多少（および、乗降者の属性）に応じた戸開時間を決定する。これにより、エレベータ制御装置２２は、各実施の形態と同様、利用者の乗降に必要な戸開時間を確保して利用者のエレベータかご１への乗降をスムーズにさせることができ、且つ、エレベータかご１が無駄に長い時間戸開することを防いでエレベータの運行効率を向上させることができる。
【図面の簡単な説明】
【００９３】
【図１】実施の形態１におけるエレベータシステム２０の構成図。
【図２】実施の形態１におけるエレベータ制御装置２２の戸開制御方法を示すフローチャート。
【図３】実施の形態２におけるエレベータシステム２０の構成図。
【図４】実施の形態２におけるエレベータ制御装置２２の戸開制御方法を示すフローチャート。
【図５】実施の形態２におけるエレベータ制御装置２２の戸開制御方法を示すフローチャートの別例。
【図６】実施の形態３におけるエレベータシステム２０の構成図。
【図７】実施の形態３におけるエレベータ制御装置２２の戸開制御方法を示すフローチャート。
【図８】実施の形態４におけるエレベータシステム２０の構成図。
【符号の説明】
【００９４】
１  エレベータかご、２  乗場行先登録装置、２ａ  乗場行先呼び、３  エレベータ制御部、３ａ  巻上制御信号、３ｂ  ドア制御信号、４  乗降者人数特定部、５  戸開時間決定部、６  呼び属性特定部、７  個人属性特定部、８  乗場行先呼び登録部、８ａ  乗場行先呼び、９  個人認証装置、９ａ  認証情報、９ｂ  開錠信号、１０  開錠装置、２０  エレベータシステム、２１  エレベータ装置、２２  エレベータ制御装置、２３  巻上機。
【図１】
2010058859.tif 000003
【図２】
2010058859.tif 000004
【図３】
2010058859.tif 000005
【図４】
2010058859.tif 000006
【図５】
2010058859.tif 000007
【図６】
2010058859.tif 000008
【図７】
2010058859.tif 000009
【図８】
2010058859.tif 000010